(57)【特許請求の範囲】
【請求項１】
画像データによって表される原画像を表示するように第１の表示装置を制御する第１の表示制御手段，
上記原画像内においてズーム領域を指定するズーム領域指定手段，
上記ズーム領域指定手段によって指定されたズーム領域内の画像を表す画像データを電子ズーム処理する電子ズーム処理手段，
上記電子ズーム処理手段によって電子ズーム処理されたズーム画像データにより表されるズーム画像を表示するように第２の表示装置を制御する第２の表示制御手段，
上記ズーム領域のサイズが，複数の異なるサイズのうちのどのサイズに近いかを判定するサイズ判定手段，
上記サイズ判定手段によって判定されたサイズとなるように上記ズーム領域内の画像の拡大または縮小処理する拡大縮小手段，および
上記拡大縮小手段によって拡大または縮小処理された画像を表す画像データを記録媒体に記録する記録制御手段を備え，
上記第１の表示装置と上記第２の表示装置とが同じものであり，かつ上記第１の表示制御手段と上記第２の表示制御手段が同じものである，
画像データ記録装置。
【請求項２】
画像データによって表される原画像を表示し，
上記原画像内においてズーム領域を指定し，
指定されたズーム領域内の画像を表す画像データを電子ズーム処理し，
電子ズーム処理されたズーム画像データにより表されるズーム画像を表示し，
上記ズーム領域のサイズが，複数の異なるサイズのうちのどのサイズに近いかを判定し，
判定されたサイズとなるように，上記ズーム領域内の画像を拡大または縮小処理し，
拡大または縮小処理された画像を表す画像データを記録媒体に記録する，
画像データ記録方法。
【発明の詳細な説明】
【０００１】
【技術分野】
この発明は，画像データを記録媒体に記録する装置および方法ならびにズーム画像を出力するズーム画像再生装置および方法に関する。
【０００２】
【発明の背景】
ディジタル・カメラは，ＣＣＤのような固体電子撮像素子を用いて被写体が撮像される。このようなディジタル・カメラにおいては，電子ズームが可能なものも普及している。ズーム指令が与えられることにより，被写体像の中のズーム領域が画素補間により拡大される。
【０００３】
電子ズームにおいては，画素補間により被写体像を拡大しているので，電子ズームにより拡大するほど撮像によって得られる画像の実質的な画素数は，減少することとなる。
【０００４】
電子ズーム処理された画像データを記録媒体に記録するとその画像データによって表される画像の実質的な画素数は，電子ズームの倍率に応じて個々に異なる。
【０００５】
このような画像データを記録媒体から読みだして直接プリンタに与えてプリントするときには，プリンタ自身に拡大または縮小処理機能がなければ，実質的な画素数に応じた様々な大きさの画像がプリントされてしまう。プリントの用紙に無駄な余白が生じたり，画像がプリントの用紙内に収まらないことがある。
【０００６】
また，ズーム処理された画像データのみを記録媒体に記録するとズーム領域以外の領域の原画像については，再生時に見ることができない。
【０００７】
【発明の開示】
この発明は，電子ズーム処理により記録された画像データによって表わされる画像のサイズをある程度一定にすることを目的とする。
【０００８】
また，この発明は，ズーム画像だけでなくズームされた領域近傍の原画像を再生時に見ることができるようにすることを目的とする。
【０００９】
第１の発明によるズーム画像データ記録装置は，画像データによって表される原画像を表示するように第１の表示装置を制御する第１の表示制御手段，上記原画像内においてズーム領域を指定するズーム領域指定手段，上記ズーム領域指定手段によって指定されたズーム領域内の画像を表す画像データを電子ズーム処理する電子ズーム処理手段，上記電子ズーム処理手段によって電子ズーム処理されたズーム画像データにより表されるズーム画像を表示するように第２の表示装置を制御する第２の表示制御手段，上記ズーム領域のサイズが，複数の異なるサイズのうちのどのサイズに近いかを判定するサイズ判定手段，上記サイズ判定手段によって判定されたサイズとなるように上記ズーム領域内の画像の拡大または縮小処理する拡大縮小手段，および上記拡大縮小手段によって拡大または縮小処理された画像を表す画像データを記録媒体に記録する記録制御手段を備えていることを特徴とする。
【００１０】
第１の発明は，上記装置に適した方法も提供している。すなわち，画像データによって表される原画像を表示し，上記原画像内においてズーム領域を指定し，指定されたズーム領域内の画像を表す画像データを電子ズーム処理し，電子ズーム処理されたズーム画像データにより表されるズーム画像を表示し，上記ズーム領域のサイズが，複数の異なるサイズのうちのどのサイズに近いかを判定し，判定されたサイズとなるように，上記ズーム領域内の画像を拡大または縮小処理し，拡大または縮小処理された画像を表す画像データを記録媒体に記録するものである。
【００１１】
第１の発明によると，上記第１の表示装置に上記原画像が表示される。上記原画像内においてズーム領域が指定され（たとえばズーム・ボタンが押されることにより画像がズームされるが，このようにズーム・ボタンを押すこと自体がズーム領域の指定ともなる），指定されたズーム領域内の画像が電子ズーム処理される。電子ズーム処理されたズーム画像が上記第２の表示装置に表示される（上記第１の表示装置と上記第２の表示装置とは同じものであっても異なるものであってもよい）。
【００１２】
ズーム領域のサイズが複数のサイズのうちのどのサイズに近いかが判定される。近いと判定されたサイズとなるようにズーム領域内の画像が拡大または縮小される。拡大または縮小された画像を表す画像データが記録媒体に記録される。
【００１３】
記録媒体には，複数のサイズのうちのいずれかのサイズをもつ画像を表す画像データが記録されることとなる。ズーム倍率（ズーム領域）に応じて多くの異なった種類のサイズをもつ画像を表す画像データが記録媒体に記録されてしまうのを未然に防止できる。
【００１４】
画像の再生時（ズーム画像の表示，ズーム画像のプリントなど）において拡大，縮小しなくとも複数のサイズのうちのいずれかのサイズをもつ画像が再生される。
【００１５】
第２の発明は，記録媒体に原画像データと，上記原画像データによって表される原画像のズーム指令データとが互いに関連づけて記録されており，上記記録媒体に記録されている上記原画像データおよび上記ズーム指令データを読み取るデータ読み取り手段，上記データ読み取り手段によって読み取られた上記ズーム指令にもとづいて上記原画像データを電子ズーム処理する電子ズーム処理手段，ならびに上記電子ズーム処理手段によって電子ズーム処理された画像データによって表わされるズーム画像を出力するように画像出力装置を制御する出力制御手段を備えていることを特徴とする。
【００１６】
第２の発明は，上記装置に適した方法も提供している。すなわち，この方法は，記録媒体に原画像データと，上記原画像データによって表される原画像のズーム指令データ（たとえば電子ズーム処理されたことを示すデータ）とが互いに関連づけて記録されており，上記記録媒体に記録されている上記原画像データおよび上記ズーム指令データを読み取り，読み取られた上記ズーム指令にもとづいて上記原画像データを電子ズーム処理し，電子ズーム処理された原画像データによって表わされるズーム画像を出力するものである。
【００１７】
第２の発明によると，上記記録媒体に上記原画像データと上記画像データによって表される原画像のズーム指令データとが互いに関連づけて記憶されている。
【００１８】
上記ズーム指令データにもとづいて上記原画像データが電子ズーム処理される。電子ズーム処理されたズーム画像が出力（表示，プリントなど）される。記録媒体に画像データを記録したときに得られたズーム画像と同じズーム画像を再生することができる。
【００１９】
上記記録媒体には，ズーム画像を表わすズーム画像データではなく，ズーム画像の領域を含む原画像を表す画像データも記録されている。原画像内において，ズーム画像近傍の画像も表示させることも可能となる。
【００２０】
上記記録媒体に，ズーム倍率を表すデータおよびズーム位置を表すデータの少なくとも一方を表すズーム・データが記録されていてもよい。この場合には，上記ズーム・データを読み取り，読み取られたズーム・データにしたがったズーム倍率の電子ズーム処理およびズーム位置によって規定される領域についての電子ズーム処理の少なくとも一方の処理を上記画像データについて行うものとなろう。
【００２１】
【実施例の説明】
図１は，ディジタル・スチル・カメラの電気的構成を示すブロック図である。
【００２２】
ディジタル・スチル・カメラは，ＣＰＵ20によってその動作が統括される。
【００２３】
ディジタル・スチル・カメラは，電子ズーム機能を有している。電子ズーム指令，ズーム位置および拡大率を与えるためのズーム・スイッチ13がディジタル・スチル・カメラに設けられている。ズーム・スイッチ13からの出力信号は，ＣＰＵ20に入力する。
【００２４】
ディジタル・スチル・カメラには，シャッタ・レリーズ・ボタン15が設けられている。シャッタ・レリーズ・ボタン15の押し下げを示す信号もＣＰＵ20に入力する。
【００２５】
ＣＰＵ20によってモータ11が制御される。モータ11によって被写体像を表す光像がＣＣＤ２の受光面上に結像するようにレンズ１が調節される。
【００２６】
ＣＣＤ２は，タイミング・ジェネレータ（ＴＧ）12から出力される撮像同期信号VIその他の制御信号によって制御される。撮像同期信号VIに同期して，一定周期（１／60秒）で被写体が撮像され，ＣＣＤ２から映像信号が出力される。ＣＣＤ２から出力される映像信号は，アナログ／ディジタル変換回路４においてディジタル画像データに変換される。ディジタル画像データは，信号処理回路５に入力する。
【００２７】
ディジタル画像データは，信号処理回路５において，ガンマ補正，白バランス調整などが行われる。信号処理回路５は，電子ズーム処理（画素補間処理）を行う機能，画像の拡大および縮小処理を行なう機能も有している。信号処理回路５から出力された画像データは，エンコーダ６に入力する。エンコーダ６において所定のエンコーディング処理が施される。
【００２８】
ディジタル画像データは，アナログ／ディジタル変換回路７においてアナログ映像信号に変換される。変換されたアナログ映像信号が表示装置８に与えられることにより，被写体像がムービ表示される。
【００２９】
シャッタ・レリーズ・ボタン15の押し下げがあると，信号処理回路５から出力される画像データは，メモリ・カード・コントローラ９に入力する。メモリ・カード・コントローラ９によって画像データがメモリ・カード10に記録される。
【００３０】
図２から図４は，被写体像の一例を示している。
【００３１】
これらの図において，いずれも上側の被写体像がＣＣＤ２によって撮像される被写体像（水平方向1600画素，垂直方向1200画素，これを原画像という）である。中央の画像が，ユーザがズーム・スイッチ13を操作することによって設定されたズーム領域内の画像を示している。下側の被写体像が電子ズーム処理されたズーム画像を示している。
【００３２】
この実施例によるディジタル・スチル・カメラにおいては，メモリ・カード10に記録される画像データによって表わされる画像のサイズ（画素数）は４種類に規定されている。すなわち，ＣＣＤ２の撮像可能な画素数である水平方向1600画素垂直方向1200画素，ＳＸＧＡ（super extended graphics array ）の画素数である水平方向1280画素垂直方向 960画素，ＳＶＧＡ（Super VGA ）の画素数である水平方向1152画素垂直方向 864画素およびＶＧＡ（Video graphic array ）の画素数である水平方向 640画素垂直方向 480画素の４種類である。
【００３３】
図２は，ＳＸＧＡの画素数である水平方向1280画素，垂直方向 960画素の画素数の画像データが記録される場合を示している。
【００３４】
上側の図を参照して，ズーム領域が水平方向において1216画素よりも大きい領域がズーム領域としてユーザによって設定されると，中央の図に示すように，指定された領域内の画像が水平方向1280画素，垂直方向 960画素の画像となるように信号処理回路５において拡大または縮小処理が行なわれる。拡大または縮小処理された画像を表わす画像データがメモリ・カード10に記録される。この水平方向1280画素，垂直方向 960画素の画像がＣＣＤ２の有効撮像範囲である水平方向1600画素，垂直方向1200画素の画像となるように電子ズーム処理されると下側の図に示すように1.25倍の拡大処理が行なわれることとなる。
【００３５】
図３は，ＳＶＧＡの画素数である水平方向1152画素，垂直方向 864画素の画素数の画像データが記録される場合を示している。
【００３６】
上側の図を参照して，ズーム領域が水平方向において 896画素よりも大きく，かつ1216画素よりも小さな領域がズーム領域としてユーザによって設定されると，中央の図に示すように，指定されたズーム領域内の画像が水平方向1152画素，垂直方向 864画素の画像となるように拡大または縮小処理が行なわれる。拡大または縮小処理された画像を表わす画像データがメモリ・カード10に記録される。この水平方向1152画素，垂直方向 864画素の画像がＣＣＤ２の有効撮像範囲である水平方向1660画素，垂直方向1200画素の画像となるように電子ズーム処理されると下側の図に示すように1.39倍の拡大処理が行なわれることとなる。
【００３７】
図４は，ＶＧＡの画素数である水平方向 640画素，垂直方向 480画素の画素数の画像データが記録される場合を示している。
【００３８】
上側の図を参照して，ズーム領域が水平方向において 896画素よりも小さな領域がズーム領域としてユーザによって設定されると，中央の図に示すように，指定されたズーム領域内の画像が水平方向 640画素，垂直方向 480画素の画像となるように拡大または縮小処理が行なわれる。拡大または縮小処理された画像を表わす画像データがメモリ・カード10に記録される。この水平方向 640画素，垂直方向 480画素の画像がＣＣＤ２の有効撮像範囲である水平方向1660画素，垂直方向1200画素の画像となるように電子ズーム処理されると下側の図に示すように 2.5倍の拡大処理が行なわれることとなる。
【００３９】
したがって，ズーム倍率が1.25倍までは，ＳＸＧＡの画素数で画像データがメモリ・カード10に記録され，ズーム倍率が1.25倍から1.39倍までは，ＳＶＧＡの画素数で画像データがメモリ・カード10に記録され，ズーム倍率が1.39倍以上はＶＧＡの画素数で画像データがメモリ・カード10に記録されることとなる。
【００４０】
図５は，ディジタル・スチル・カメラの記録の処理手順を示すフローチャートである。
【００４１】
被写体が撮像され，上述のようにして被写体像が表示装置８の表示画面に表示される。ズーム・スイッチ13からズーム指令，ズーム倍率およびズーム領域をそれぞれ表すデータが与えられると被写体像を表す画像データは，信号処理回路５において，電子ズーム処理が行われる。電子ズームにより拡大した画像が表示装置８の表示画面に表示される。ズーム領域が決定することとなる（ステップ31でＹＥＳ）。
【００４２】
ユーザによってシャッタ・レリーズ・ボタン15が押されると（ステップ32でＹＥＳ），メモリ・カード10のヘッダ記録領域に管理データ（日付，シャッタ速度，被写体像のサムネイル画像を表すデータを含む）が記録される（ステップ33）。
【００４３】
ズーム領域の水平方向の画素数が1216画素以上かどうかが判断される（ステップ34）。ズーム領域の水平方向の画素数が1216画素以上であれば（ステップ34でＹＥＳ），ＳＸＧＡのサイズとなるように，指定されたズーム領域内の画像が拡大または縮小処理される。拡大または縮小処理された画像データがメモリ・カード10に記録される（ステップ36）。
【００４４】
ズーム領域の水平方向の画素数が1216画素以上でなければ（ステップ34でＮＯ），ズーム領域の水平方向の画素数が 896画素以上かどうかが判断される（ステップ35）。ズーム領域の水平方向の画素数が 896画素以上であれば（ステップ35でＹＥＳ），ＳＶＧＡのサイズとなるように，指定されたズーム領域内の画像が拡大または縮小処理される。拡大または縮小処理された画像データがメモリ・カード10に記録される（ステップ38）。
【００４５】
ズーム領域の水平方向の画素数が 896画素未満であれば（ステップ35でＮＯ），ＶＧＡのサイズとなるように，指定されたズーム領域内の画像が拡大または縮小処理される。拡大または縮小処理された画像データがメモリ・カード10に記録される（ステップ37）。
【００４６】
上述の実施例においては画像サイズは水平方向の画素数のみで判断しているが，垂直方向の画素数を考慮してもよい。
【００４７】
再生時に拡大または縮小処理をしない場合にはＳＸＧＡのサイズ，ＳＶＧＡのサイズまたはＶＧＡのサイズのいずれかの大きさの画像が得られる。ズーム倍率に応じて多くの異なる大きさの画像が表示またはプリンタされてしまうことを未然に防止できる。プリントした場合であっても画像の大きさに応じてプリント用紙を使用することができ，プリントに無駄な余白が生じるのを未然に防止できる。
【００４８】
ズーム処理されない場合には，ＣＣＤ２の有効撮像領域の画素数である，水平方向1600画素，垂直方向1200画素の画像データがメモリ・カード10の画像データ記録領域に記録されるのはいうまでもない。
【００４９】
図６から図９は，他の実施例を示すものである。
【００５０】
図６は，メモリ・カードのデータ構造を示している。
【００５１】
メモリ・カード10には，ヘッダ記録領域と画像データ記録領域とが含まれている。
【００５２】
ヘッダ記録領域は，メモリ・カード10に記録されている画像データの管理データを記録するものである。このヘッダ記録領域にズーム情報（ズーム倍率，ズーム領域，ズームされたことを示す情報など）も記録される。
【００５３】
画像データ記録領域に，被写体像を表す圧縮画像データが記録される。
【００５４】
図７は，ディジタル・スチル・カメラの記録時の処理手順を示すフローチャートである。図８は，表示装置に表示される原画像およびズーム画像を示している。
【００５５】
上述した実施例と同様にして被写体像が撮像され，被写体像がディジタル・スチル・カメラの表示装置８に表示される。ズーム・スイッチ13によりズーム領域が決定される（ステップ41）。表示装置８には，電子ズーム処理により拡大された被写体像（ズーム画像）が表示される。
【００５６】
シャッタ・レリーズ・ボタン15が押されると（ステップ42でＹＥＳ），ＣＣＤ２から出力される電子ズーム処理される前の被写体像（原画像）を表す画像データがメモリ（図示略）に一時的に記憶される。
【００５７】
ズーム情報（ズーム領域を表わす座標情報（ｈ１，ｖ１），（ｈ２，ｖ２）およびズーム倍率Ａを含む）がメモリ・カード10のヘッダ記録領域に記録される（ステップ43）。さらに，メモリに一時的に記憶された原画像データが読みだされデータ圧縮される。データ圧縮は信号処理回路５において行なわれよう。データ圧縮された画像データがメモリ・カード10の画像データ記録領域に記録される（ステップ44）。
【００５８】
ズーム指令が与えられても，ズームされた画像を表す画像データをメモリ・カード10に記録するのではなく，ＣＣＤ２によって撮像された電子ズーム処理前の原画像を表す画像データがメモリ・カード10に記録される。
【００５９】
図９は，ディジタル・スチル・カメラの再生処理手順を示すフローチャートである。
【００６０】
駒送りスイッチ（図示略）により所望の駒が選択される（ステップ51）。選択された駒の画像を表す圧縮画像データがメモリ・カードの画像データ記録領域から読み取られ，メモリに一時的に記憶される。また，選択された駒についてのズーム情報がメモリ・カードのヘッダ記録領域から読み取られ，メモリに一時的に記憶される（ステップ52）。
【００６１】
メモリ・カード10のヘッダ記録領域から読み取られたズーム情報にもとづいてズーム倍率が算出される（ステップ53）。メモリ・カード10にズーム倍率そのものが記録されているときにはズーム倍率の算出処理が行なわれないのはいうまでもない。また，圧縮画像データがメモリから読みだされデータ伸長が行われる（ステップ54）。伸長された画像データのうち，ズーム情報から得られるズーム領域の画像データについて算出されたズーム倍率で信号処理回路５において電子ズーム処理が行われる（ステップ55）。
【００６２】
電子ズーム処理された画像データが表示装置８に与えられることによりズーム画像が表示装置８の表示画面上に表示される（ステップ57）。
【００６３】
メモリ・カードには，ズーム画像を表す画像データではなく，ズーム領域を含む原画像を表す画像データが記録されている。このために表示装置８に表示されているズーム画像の領域と異なる画像を表示装置８の表示画面上に表示することができる。このためにズーム・スイッチ13によりズーム領域の変更またはズーム倍率の変更があると（ステップ57），原画像データについて再び電子ズーム処理が行われる（ステップ55）。ズーム画像が表示装置８に表示されることとなる（ステップ56）。
【００６４】
画像データの記録時において設定された領域および倍率のズーム画像だけでなく，そのズーム画像と異なる領域および倍率のズーム画像を得ることができるようになる。
【００６５】
ディジタル・スチル・カメラの電源がオフされるまで，その駒についてズーム倍率およびズーム領域を変更したズーム画像を表示することが可能となる（ステップ58）。
【図面の簡単な説明】
【図１】ディジタル・スチル・カメラの電気的構成を示すブロック図である。
【図２】原画像とズーム画像との関係を示している。
【図３】原画像とズーム画像との関係を示している。
【図４】原画像とズーム画像との関係を示している。
【図５】ディジタル・スチル・カメラの記録時における処理手順を示すフローチャートである。
【図６】メモリ・カードのデータ構造を示している。
【図７】ディジタル・スチル・カメラの記録時における処理手順を示すフローチャートである。
【図８】原画像とズーム画像との関係を示している。
【図９】ディジタル・スチル・カメラの再生時における処理手順を示すフローチャートである。
【符号の説明】
２  ＣＣＤ
５  信号処理回路
８  表示装置
10  メモリ・カード
13  ズーム・スイッチ
15  シャッタ・レリーズ・ボタン
20  ＣＰＵ
【図１】
0004515559.tif 000002
【図２】
0004515559.tif 000003
【図３】
0004515559.tif 000004
【図４】
0004515559.tif 000005
【図５】
0004515559.tif 000006
【図６】
0004515559.tif 000007
【図７】
0004515559.tif 000008
【図８】
0004515559.tif 000009
【図９】
0004515559.tif 000010